(57)【特許請求の範囲】
【請求項１】
閉じ方向にバネ付勢したシャッタ羽根をシャッタベースに軸着し、シャッタレリーズ操作に応答して変位するシャッタ駆動レバーでシャッタ羽根をバネ付勢に抗して蹴飛ばすことによって開き方向に回動させた後、前記バネ付勢によりシャッタ羽根を閉じ位置に戻すようにしたシャッタ機構が組み込まれたユニット本体に、予め未露光の写真フイルムを内蔵させたレンズ付きフイルムユニットにおいて、
前記シャッタ機構の前面側に組み付けられるカバー部品の内壁に、前記シャッタ羽根に当接してその開き方向への移動を阻止するストッパを設けたことを特徴とするレンズ付きフイルムユニット。
【請求項２】
前記カバー部品はレンズ付きフイルムユニットの前面を構成する前カバーであり、前記ストッパは前記シャッタ機構の前面を覆うシャッタカバーに形成された開口を通ってシャッタ羽根の開閉経路内に突出することを特徴とする請求項１記載のレンズ付きフイルムユニット。
【請求項３】
前記ストッパはシャッタ羽根の開き方向への移動の終端を各々可変する複数の位置に位置決め可能に設けられていることを特徴とする請求項１又は２記載のレンズ付きフイルムユニット。
【請求項４】
閉じ方向にバネ付勢したシャッタ羽根をシャッタベースに軸着し、シャッタレリーズ操作に応答して変位するシャッタ駆動レバーでシャッタ羽根をバネ付勢に抗して蹴飛ばすことによって開き方向に回動させ、シャッタベースに突設した第１ストッパによりシャッタ羽根の開き方向への回動終端を規制するとともに、前記バネ付勢によりシャッタ羽根を閉じ位置に戻すようにしたシャッタ機構が組み込まれたユニット本体に、予め未露光の写真フイルムを内蔵させたレンズ付きフイルムユニットにおいて、
前記レンズ付きフイルムユニットの前面を構成する前カバーを複数種類用意しておき、その中の特定種類の前カバーにのみ、その内壁に前記シャッタ羽根が開き方向に移動したときに前記第１ストッパよりも手前でシャッタ羽根に当接してシャッタ羽根の開き方向への移動を規制する第２ストッパを設け、シャッタ機構を共通に使用しながらも、第２ストッパの有無による前カバーの選択によりシャッタ速度を調節できるようにしたことを特徴とするシャッタ速度の調節方法。
【発明の詳細な説明】
【０００１】
【産業上の利用分野】
本発明は、バネ付勢によりシャッタ羽根を開閉させるシャッタ装置を備えたレンズ付きフイルムユニットに関するものである。
【０００２】
【従来の技術】
いつでも手軽に写真撮影を楽しむことができるように、本出願人によりレンズ付きフイルムユニットが製造販売されている。レンズ付きフイルムユニットは、撮影レンズやシャッタ装置などの撮影機構を組み込んだユニット本体に予め未露光の写真フイルムを内蔵させたもので、購入したその場ですぐに写真撮影ができ、また撮影後にもそのまま現像取り扱い店に出せばよいという簡便性から、一般に広く利用されている。このレンズ付きフイルムユニットには、例えば「写ルンですＳｕｐｅｒ８００」（商品名）等のように基本的な撮影機構のみを組み込んだものから、「写ルンですＦｌａｓｈ  」（商品名）等のようにストロボ装置を備え、夜間や室内での撮影を可能としたものなど様々な種類があり、ユーザーは用途に応じたものを選択することができる。
【０００３】
このようなレンズ付きフイルムユニットにおいては、組立性の簡便化のためにシャッタ機構，ファインダー光学系，フイルム巻上げ機構，及び撮影レンズ等の基本的な機構は、シャッタベース上に一体に組み付けられてユニット化されている。またレンズ付きフイルムユニットのシャッタ機構としては、部品点数の節約や構造の簡略化のために、図６に示したような蹴飛ばし方式のものが用いられている。シャッタ羽根２はシャッタベース１に軸着され、シャッタベース１との間に掛けられた復帰バネ３によって露光窓４を遮蔽する方向に付勢されている。シャッタ羽根２の上部には突起２ａが設けられており、この突起２ａをシャッタレリーズ操作に応答して変位するシャッタ駆動レバー５で蹴飛ばすことによって、シャッタ羽根２が復帰バネ３の付勢に抗して開き方向に回動される。シャッタ羽根２が開き位置に達し、その一端がシャッタベース１に植設されたストッパ６に当接すると、シャッタ羽根２は復帰バネ３の付勢により閉じ位置に戻される。このようなシャッタ機構においては、シャッタ羽根２は常に閉じ位置からストッパ６と当接する位置までの間でのみ回動し、復帰バネ３の付勢力も固定されている。したがって、シャッタ羽根２の回動距離及び開閉速度は常に一定している。
【０００４】
一方、資源節約を図るとともに、産業廃棄物を削減するために、レンズ付きフイルムユニットのリサイクルが積極的に進められている。ユーザーが撮影済の写真フイルムを収納したレンズ付きフイルムユニットを現像取扱い店に持っていくと、このレンズ付きフイルムユニットは更に現像所に集められ、ここで写真フイルムが取り出されてフイルム現像、プリント処理が施される。写真フイルムを取り出されたレンズ付きフイルムユニットはメーカーによって回収され、部品ごとに分解された後、再使用可能なものはそのまま製造工程に供給され、使用できないものは原材料としての利用が図られている。また、シャッタ機構等のようにユニット化されたものについては機能検査を行い、ユニット単位で再使用の可否が判定される。
【０００５】
ところで、ストロボ装置におけるストロボの発光タイミングは、ストロボの発光特性やシャッタ方式により異なるが、いずれの場合においても、放出されたストロボ光が有効に利用されるようにシャッタ羽根の開放タイミングと正確に同期させることが重要である。レンズ付きフイルムユニットに用いられるストロボ装置においては、シャッタ羽根が全開となった瞬間に、放電回路を作動させるためのシンクロスイッチがオンされ、ストロボ光を放つようになっている。
【０００６】
図７は、レンズ付きフイルムユニットにおけるシャッタ羽根の回動と、シンクロスイッチの作動との関係を示すものである。シンクロスイッチ８は、上下一対の平板状の接片８ａ，８ｂを接片保持部材８ｃに一体に保持させた構成となっており、これらの接片８ａ，８ｂがシャッタ羽根２の近傍に突出するように配置される。そして、シャッタ羽根２が開き位置まで回動した時に、シャッタ羽根２の上部に設けられた押圧片２ｂが上側の接片８ａを押圧して下側の接片８ｂに接触させる。
【０００７】
このように、シンクロスイッチ８とともに上記シャッタ機構を用いた場合には、シャッタ羽根２は接片８ａ，８ｂを撓ませながら開き方向に回動し、また閉じ方向に回動するときには復帰バネ３の付勢力の他に接片８ａ，８ｂの付勢力が加わる。一般的に、シャッタ羽根２の開閉速度を安定させるためにシャッタ駆動レバー５の蹴飛ばし力は強く設定されているので、シャッタ羽根２が開き方向に回動するときには接片８ａ，８ｂからの反発力はほとんど影響しない。しかし、シャッタ羽根２が閉じ方向に回動するときには接片８ａ，８ｂの付勢力が加わり、シャッタ羽根２はシンクロスイッチ８を併用しないときと比較して速く閉じ位置に戻るようになる。
【０００８】
そして、ストロボ内蔵型のレンズ付きフイルムユニットであっても、ストロボを使用せずに撮影が行われることを考慮すると、シャッタ羽根２の開き時間（シャッタ速度）を、シンクロスイッチ８が組み込まれていないものと同程度にしておくことが望まれる。このような事情から、シンクロスイッチ８とともに使用されるシャッタ機構については、シャッタ羽根２の形状やストッパ６の位置を変えたり、あるいは復帰バネ３の力量を変えるなどの手法により、シンクロスイッチ８を用いないものと同程度になるようにしていた。
【０００９】
【発明が解決しようとする課題】
しかしながら、上述のようにシンクロスイッチの有無に応じてシャッタ機構を構成する部品を変更するのでは、部品の種類が増えてコストアップになる他、部品管理が煩雑になり、誤組み立ての原因にもなりやすい。また、市場から回収されたレンズ付きフイルムユニットのリサイクル時においても、ユニット本体から取り出されたシャッタ機構部を、その構成ごとに選別して各々保管しなくてはならないので、非常に効率が悪かった。
【００１０】
本発明は上記問題点を解決するためになされたもので、シンクロスイッチの有無に係わらず、シャッタ機構の構成部品を変更せずに適切なシャッタ速度を得ることができるようにしたレンズ付きフイルムユニット及びシャッタ速度の調節方法を提供することを目的とする。
【００１１】
【課題を解決するための手段】
上記目的を達成するために、本発明のレンズ付きフイルムユニットは、シャッタ機構の前面側に組み付けられるカバー部品の内壁に、シャッタ羽根に当接してその開き方向への移動を阻止するストッパを設けるものである。なお、ストッパをレンズ付きフイルムユニットの前面を構成する前カバーに設ける場合には、シャッタ機構の前面を覆うシャッタカバーに形成された開口を通ってストッパがシャッタ羽根の開閉経路内に突出できるようにするのがよい。また、ストッパはシャッタ羽根の開き方向への移動の終端を各々可変する複数の位置に位置決め可能に設けるのがよい。
【００１２】
また、請求項４に記載のシャッタ速度の調節方法は、レンズ付きフイルムユニットの前面を構成する前カバーを複数種類用意しておき、その中の特定種類の前カバーにのみ、その内壁にシャッタ羽根が開き方向に移動したときにシャッタベースに突設した第１ストッパよりも手前でシャッタ羽根に当接してシャッタ羽根の開き方向への移動を規制する第２ストッパを設け、シャッタ機構を共通に使用しながらも、第２ストッパの有無による前カバーの選択によりシャッタ速度を調節できるようにするものである。
【００１３】
【実施例】
図２は、本発明を用いたレンズ付きフイルムユニットを示すものである。ユニット本体１１は主にプラスチック成形され、全体を外装体１２によって覆われている。外装体１２は、レンズ付きフイルムユニット１０の外観を綺麗にするためのものであり、表面に印刷が施された紙箱等が用いられる。外装体１２の所要部には、撮影レンズ１３，ファインダー対物窓１４，巻上げノブ１５，シャッタボタン１６，及びカウンタ窓１７等を外部に露呈させるための開口が設けられており、この外装体１２をユニット本体１１に被せたままの状態で撮影操作が行えるようになっている。
【００１４】
ユニット本体１１は、図３に分解して示したように、本体基部２１と、その上面，前面，及び左右側面を覆うように被せられる前カバー２２と、本体基部２１の背面に被せられる後カバー２３とから構成されている。本体基部２１には、パトローネ２４を収納するパトローネ室２５と、パトローネ２４から引き出された写真フイルム２６を収納するフイルムロール室２７とが一体に形成されている。この本体基部２１の前面には、シャッタベース３１上に撮影レンズ１３，ファインダー光学系，フイルム巻上げ機構，及びシャッタ機構等を組み付けてユニット化した露光ユニット３０が取り付けられ、前カバー２２と後カバー２３とで挟持される。前カバー２２には、上面にシャッタボタン１６が、また前面にファインダー対物窓１４が一体に成形されている。また前カバー２２の内壁には、突出したストッパーピン２８が設けられている。
【００１５】
図４は、露光ユニット３０の分解図である。シャッタ羽根３２はシャッタベース３１の前面に植設した軸３３に回動自在に取り付けられる。シャッタ羽根３２とシャッタベース３１との間には復帰バネ３４が掛けられ、シャッタ羽根３２は露光窓３５を遮蔽する閉じ位置に向かって付勢されている。シャッタ羽根３２の前面には、撮影レンズ１３を保持したシャッタカバー３７が被せられる。そして、シャッタ羽根３２が閉じ位置にあるときには、シャッタ羽根３２の上部に形成された突起３２ａがシャッタカバー３７の上面３７ａから突出するようになっている。
【００１６】
シャッタカバー３７の前面には、前記前カバー２２の内壁に設けられたストッパーピン２８をシャッタ羽根３２の回動範囲内に突出させるための開口３８が形成されている。図１に示すように、開口３８はシャッタ羽根３２の回動方向に沿って長く形成されており、ストッパーピン２８を突出させる位置に応じてシャッタ羽根３２の回動距離が変わるようになっている。本実施例では、開口３８は、シャッタ羽根３２が距離Ｘ１だけ回動して開き位置に達した時にシャッタ羽根３２と当接する第１の停止位置と、シャッタ羽根３２がさらに開き方向に回動し、距離Ｘ２まで移動した時にシャッタ羽根３２と当接する第２の停止位置との間で、ストッパーピン２８が突出できるように形成した。またストッパーピン２８は、シャッタ羽根３２の回動距離が最も短くなる第１の停止位置から突出するように設けた。
【００１７】
図４において、シャッタベース３１の上面には３個のボス４１，４２，４２及びファインダー枠４４ａ，４４ｂが一体に形成されている。ボス４１には、Ｌ字型に折れ曲がったアーム４５ａが前端側に形成されたシャッタ駆動レバー４５と、カウンタ円板４６とが回動自在に軸着される。ボス４２にはシャッタ駆動バネ４７が嵌められ、さらに係止レバー４８が軸着される。シャッタ駆動バネ４７の一端４７ａは係止レバー４８の係止片４８ａに掛けられ、他端４７ｂはシャッタ駆動レバー４５の後端４５ｂに掛けられる。これによりシャッタ駆動レバー４５は図中反時計方向に付勢され、係止レバー４８は時計方向に付勢されるようになる。
【００１８】
また、ボス４３にはカム部材４９が挿通され、背後から挿入されたスプロケット５０と連結される。フイルム巻き上げにより写真フイルム２６が送られると、パーフォレーションとの係合によってスプロケット５０が反時計方向に回転し、カム部材４９を同方向に回転させる。カム部材４９の上端には一歯ギヤ４９ａが形成され、これがカウンタ円板４６の外周に設けたギヤと噛み合ってカウンタ円板４６を１目盛回転させる。カム部材４９にはシャッタ駆動レバー４５のカムフォロワ４５ｃが摺接しており、カム部材４９の回転によってシャッタ駆動レバー４５はシャッタ駆動バネ４７をチャージしながら時計方向に回動する。そして、シャッタ駆動レバー４５がセット位置まで回動すると、この位置でシャッタ駆動レバー４５は係止される。
【００１９】
ファインダー枠４４ａ，４４ｂには、ファインダー対物レンズ５１ａ及びファインダー接眼レンズ５１ｂがそれぞれ嵌め込まれる。そして、シャッタベース３１の上面には保持板５２が取り付けられ、各部材が固定される。
【００２０】
ユニット本体１１の組立工程において、まず樹脂成型された本体基部２１の前面に、予め組み立てられた露光ユニット３０が取り付けられ、さらに前カバー２２が被せられる。これにより、前カバー２２の内壁に植設されたストッパーピン２８がシャッタカバー３７に形成された開口３８内に入り込んでシャッタ羽根３２の回動範囲内に突出し、シャッタ羽根３２の回動距離を短く規制する第１の停止位置に位置決めされる。
【００２１】
次に、本体基部２１にパトローネ２４と、このパトローネ２４から引き出された未露光の写真フイルム２６とが収納され、背面に後カバー２３が被せられる。パトローネ２４はパトローネ室２５に、また写真フイルム２６はロール状に巻かれてフイルムロール室２７にそれぞれ収納される。このようにして組み立てられたユニット本体１１は、機能検査が施された後に外装体１２を被せられ、レンズ付きフイルムユニット１０として出荷される。
【００２２】
レンズ付きフイルムユニット１０を購入して写真撮影を行う時には、撮影者は、まず巻上げノブ１５を反時計方向に回動してシャッタチャージを行い、撮影準備をする。この巻上げノブ１５の回動操作は、回転がロックされるまで行う。これにより、係止レバー４８がセット位置まで移動し、シャッタ駆動レバー４５がセット位置で係止される。
【００２３】
撮影者が被写体を適当な位置にフレーミングしてシャッタボタン１６を押し込んでゆくと、シャッタボタン１６の下面に一体に形成されたレリーズアーム（図示せず）が係止レバー４８側に移動して係止片４８ａを押圧し、係止レバー４８全体が反時計方向にわずかに回動される。これによりシャッタ駆動レバー４５の係止が解除され、このシャッタ駆動レバー４５はシャッタ駆動バネ４７の付勢によって反時計方向に急激に回動する。すると、シャッタ駆動レバー４５の先端に形成されたアーム４５ａがシャッタカバー３７の上面３７ａに沿って図４における右方向に移動し、このアーム４５ａによって上面３７ａから突出しているシャッタ羽根３２の突起３２ａが蹴飛ばされる。これによりシャッタ羽根３２は、復帰バネ３４の付勢力に抗して時計方向に回動し、露光窓３５を開放する。
【００２４】
シャッタ駆動レバー４５のアーム４５ａの移動とともにシャッタ羽根３２が距離Ｘ１だけ回動し、露光窓３５を全開する開き位置に達すると、シャッタ羽根３２がストッパーピン２８に当接し、ここでシャッタ羽根３２の開き方向への移動が規制される。また同時に、シャッタ羽根３２の突起３２ａがシャッタカバー３７の上面３７ａよりも下側に移動し、突起３２ａへのアーム４５ａによる付勢が解除される。これにより、シャッタ羽根３２が復帰バネ３４の付勢で元の閉じ位置に引き戻され、１回の露光動作が完了する。この際、シャッタ羽根３２は、露光窓３５を全開してから直ちに閉じ位置に引き戻されるので、被写体光は露出オーバーとなることなく、適正光量で写真フイルム２６上に露光される。
【００２５】
撮影終了後、フイルム巻上げノブ１５を反時計方向に回動するとフイルム送りが行われる。写真フイルム２６の給送によりスプロケット５０が回転すると、これに連動してシャッタ駆動レバー４５がセット位置に戻される。そして、アーム４５ａがシャッタカバー３７の上面３７ａを図４における左方向へと移動してセット位置に戻され、次の撮影操作が可能となる。
【００２６】
なお、ストロボ装置を内蔵してシンクロスイッチを併用する場合等、シャッタ羽根の閉じ方向への付勢力が所望の力量よりも大きくなるレンズ付きフイルムユニットにおいては、図５に示したように、シャッタ羽根３２の回動距離が長くなる第２の停止位置に対応させてストッパーピン６１を設ければよい。この場合、シャッタカバーに形成された開口３８が第２の停止位置に設けられたストッパーピン６１をも突出可能となるように形成されているので、上記で説明した露光ユニット３０をそのまま共通に用いることができる。そして、露光ユニット３０の前面に前カバーを被せれば、ストッパーピン６１が第２の停止位置で位置決めされてシャッタ羽根３２の回動が距離Ｘ２まで許容される。そして、シャッタ羽根３２がストッパーピン６１と当接する位置から閉じ方向に回動するときには、復帰バネ３４の付勢力の他に接片８ａ，８ｂの付勢力が加わっているので、このシャッタ羽根３２はシンクロスイッチ８を併用しないときと比較して高速で閉じ位置に引き戻されるが、その分シャッタ羽根３２の回動距離が長くなっているので、シャッタ速度はシンクロスイッチ８を用いない場合と同じになる。
【００２７】
写真フイルム２６の全てのコマに撮影が終了した時に、撮影者は、レンズ付きフイルムユニット１０ごと現像取り扱い店に持ってゆきＤＰＥを依頼する。撮影済のレンズ付きフイルムユニット１０は、現像取扱い店から更に現像所に集められる。現像所では、パトローネ室２５から露光済の写真フイルム２６が巻き込まれたパトローネ２４が取り出され、フイルム現像及びプリント処理が施される。そして、できあがったプリント写真は、現像取扱い店を通して撮影者の手元に渡される。
【００２８】
パトローネ２４が取り出された後のレンズ付きフイルムユニット１０は、メーカーによって現像所から回収され、リサイクルのための分解工程に回される。分解工程においては、まずユニット本体１１から外装体１２が剥がされ、この後にユニット本体１１が図３に示したように分解される。そして、部品として再使用可能なものは製造工程に供給され、そのまま製品の一部として用いられる。部品としてそのまま使用できないものはペレット化して再溶融され、原材料としてリサイクル利用される。また、ユニット本体１１から剥がされた外装体１２も再溶融され、再生紙としてリサイクルされる。なお、レンズ付きフイルムユニットの分解工程内には、基本的な撮影機構のみを備えるものと、ストロボ装置を内蔵するものとが混在しているが、各々のユニット本体から取り外された露光ユニット３０は、その構成が全て同じであるので、レンズ付きフイルムユニットの種類に応じて選別する必要がなく、そのまま共通に保管することができるうえ、あらゆる種類のレンズ付きフイルムユニットの製造工程に供給することができる。
【００２９】
なお、上記実施例では、前カバーと一体にストッパーピンを設け、シャッタ羽根の回動範囲内におけるストッパーピンの停止位置を固定する例について説明したが、ストッパーピンを、例えば第１の停止位置と第２の停止位置との間で移動自在に設ければ、シャッタ羽根の回動距離も距離Ｘ１から距離Ｘ２の範囲内で可変となる。これにより、撮影者は、撮影シーンに応じてシャッタ羽根の開放時間を調節することができるようになり、より良好な被写体像を得ることができるようになる。
【００３０】
また、前カバーに設けられたストッパーピンを、シャッタカバーに形成した開口からシャッタ羽根の回動経路内に突出させるようにしたが、所望のシャッタ速度を得ることができる位置にストッパーピンを固定できればよいので、このストッパーピンの固定位置がシャッタカバーによって覆われている部分よりも外側に位置していれば、もちろん開口を形成する必要はない。また、シャッタカバーの端縁部にまでかかるように切欠きを形成すれば、ストッパーピンをより広い範囲で突出させることが可能となる。
【００３１】
また、シャッタベース上にシャッタ羽根の回動距離を長くする停止位置に対応させて予め第１ストッパを植設するとともに、シャッタカバーには回動距離を短くする停止位置に対応させて開口を形成しておき、このシャッタカバーの開口からシャッタ羽根の開閉経路内に突出する第２ストッパを備えたものと、第２ストッパを備えていないものとの２種類の前カバーを用意しておくようにしてもよい。そして、ストロボ内蔵型のレンズ付きフイルムユニットには第２ストッパを備えていない前カバーを用い、ストロボ装置を組み込まないレンズ付きフイルムユニットには第２ストッパを設けた前カバーを用いるようにすればよい。なお、ストロボ装置を組み込まない場合には、第１ストッパと第２ストッパとの両方を備えることになるが、第１ストッパが第２ストッパよりもシャッタ羽根の開き方向に対して下流側に位置するので、シャッタ羽根の回動距離に影響を与えることはない。この実施例によれば、ストロボ装置を組み込む場合には前カバー側にストッパを設けておく必要がなくなるので、従来通りの前カバーをそのまま用いることができるようになり、より低コストに、適切なシャッタ速度を得ることができる。
【００３２】
また、上記実施例では、レンズ付きフイルムユニットに対して本発明を実施した例について説明したが、本発明のシャッタ速度の調節方法は、バネ付勢によりシャッタ羽根を開閉させるシャッタ機構を備えるものであれば適用可能であり、もちろんコンパクトカメラ等にも用いることができる。
【００３３】
【発明の効果】
以上のように、本発明のレンズ付きフイルムユニットによれば、シャッタ羽根の開き方向への移動を規制するストッパをシャッタ機構の前面を覆う前カバーの内壁に設けるので、シャッタ羽根の閉じ方向への付勢力に応じてストッパの位置を調節することで、適切なシャッタ速度を得ることができるようになる。また、ストッパを、シャッタ羽根の開き方向への移動の終端を各々可変する複数の位置に位置決め可能に設けることで、シャッタ機構の構成を変えることなく、シャッタ羽根の開閉速度が異なるあらゆる種類のレンズ付きフイルムユニットに対応することが可能となる。したがって、シンクロスイッチの有無に係わらず同じシャッタ機構を全く共通に用いることができるようになるので、製造工程内における部品管理が簡便になり、誤組み立てが防止できるとともに、シャッタ機構部のリサイクル性も向上する。
【図面の簡単な説明】
【図１】本発明を用いたレンズ付きフイルムユニットの要部説明図である。
【図２】レンズ付きフイルムユニットの外観図である。
【図３】図２に示したユニット本体の分解図である。
【図４】図３に示した露光ユニットの分解図である。
【図５】ストッパーピンの形成位置の第２実施例を示す説明図である。
【図６】シャッタ機構の概略を示す説明図である。
【図７】ストロボ内蔵型のレンズ付きフイルムユニットのシャッタ羽根の回動距離を示す説明図である。
【符号の説明】
１，３１  シャッタベース
２，３２  シャッタ羽根
３，３４  復帰バネ
４，３５  露光窓
６  ストッパ
１１  ユニット本体
２２  前カバー
２８，６１  ストッパーピン
３０  露光ユニット
３８  開口
【図１】
0003627991.tif 000002
【図２】
0003627991.tif 000003
【図３】
0003627991.tif 000004
【図４】
0003627991.tif 000005
【図５】
0003627991.tif 000006
【図６】
0003627991.tif 000007
【図７】
0003627991.tif 000008